(57)【要約】      （修正有）【課題】高齢者や身体障害者であっても容易に電話をかけることのできる福祉電話を提供する。【解決手段】生れつき、または疾病・外傷により身体に障害を有する複数の人々が共同で使用できる場所に設置される親機と、前記親機とインターネットで接続される子機とを有する福祉電話である。前記親機は、タッチパネル３、マイク４、スピーカー５、指紋センサー６、ＣＣＤカメラ７、及び内蔵された音声収録再生器、画像収録再生器、通信手機、メモリー、コンピュータ、更に前記コンピュータ及びそれに接続された前記各機器を福祉電話の親機の各手段として機能させる福祉電話プログラムを用いて構成され、入力された情報及び接続先情報に基づいて接続先を選択し、文字や画像及び音声の両方で着信を通知し、また選択された接続先に電話をかけることにより、若しくは着信受付による受付情報に基づいて、子機との通信を可能にし、画像及び音声を送受信する。【選択図】        図２
2004208243.tif 000002
【特許請求の範囲】
【請求項１】
生れつき、または疾病・外傷により身体に障害を有する複数の人々が共同で使用できる場所に設置される親機と、前記親機とインターネットで接続される子機とを有する福祉電話の親機であって、
人を検知して親機を作動させる作動開始手段と、
文字や画像及び音声の両方で操作の案内をする操作案内手段と、
親機側利用者情報記憶手段と
接触、音声、若しくは映像によって親機側利用者情報を入力し、前記入力情報に親機側識別番号を付加して、前記入力情報と共に親機側識別番号を前記親機側利用者情報記憶手段に記憶させて登録する親機側利用者情報登録手段と、
接続先情報記憶手段と、
接触、音声、若しくは映像によって親機側利用者別に前記親機側利用者情報と関連付けて記憶されるべき接続先利用者情報を入力し、前記入力情報に接続先識別番号を付加して、前記入力情報と共に接続先識別番号を前記接続先情報記憶手段に記憶させて登録する接続先情報登録手段と、
接触、音声、若しくは映像によって入力された情報及び前記親機側利用者情報に基づいて親機側利用者を認識する親機側利用者認識手段と、
接触、若しくは音声によって入力された情報及び前記接続先情報に基づいて接続先を選択する接続先選択手段と、
文字や画像及び音声の両方で着信を通知する着信通知手段と、
接触、若しくは、音声による受付情報を入力するための着信受付手段と、
前記接続先選択手段によって選択された接続先に電話をかけることにより、若しくは、着信受付手段からの受付情報に基づいて、子機との通信を可能にし、画像及び音声を子機との間で送受信する通信手段とを備えた親機。
【請求項２】
前記親機側利用者認識手段は、次の特定要素の内一つを用いて選択をすることにより、若しくは、次の特定要素の内二つ以上を用いて選択をくり返す事により数多くの登録親機側利用者から個人を絞りこむ特定要素検索手段を有している請求項１に記載の親機。
性別、干支、生まれた月、出身地、血液型、部屋番号、親機側利用者の顔写真、氏名
【請求項３】
更に、昇降手段を有している請求項１に記載の親機。
【請求項４】
生れつき、または疾病・外傷により身体に障害を有する複数の人々が共同で使用できる場所に設置される親機と、前記親機とインターネットで接続される子機とを有する福祉電話の子機であって、
インターネット接続開始時においてその時にプロバイダーから割振られたＩＰを親機に知らせる通信手段を有している子機。
【請求項５】
請求項１に記載の親機と請求項４に記載の子機を備えた福祉電話。
【発明の詳細な説明】
【０００１】
【発明の属する技術分野】
本発明は、老人ホーム等の老人や身体障害者が共同で生活する社会福祉施設に配置され、その施設の人たちが共同で使用する電話に係わる。特に、老人や身体障害者が容易にしようすることが可能な福祉電話に関する。
【０００２】
【従来の技術】
家族や友人と離れて老人ホーム等の社会福祉施設に共同で生活する人たちと、遠く離れた家族や友人との交流を容易にするための通信手段の一つに電話がある。
【０００３】
【発明が解決しようとする課題】
しかしながら、従来の電話であると、高齢化や病気等により、頻繁に電話をかける相手であるにも係わらず、相手の電話番号が思いだせなかったり、手の指をうまく動かせなかったりすると、電話がかけられないという問題が生じていた。
【０００４】
本発明は、上記問題を鑑みてなされたものであって、その目的とするところは、生れつき、または疾病・外傷により身体に障害を有する複数の人々が共同で使用できる場所に設置され、高齢者や身体障害者であっても容易に電話をかけることのできる福祉電話を提供するものである。
【０００５】
【課題を解決するための手段】
上記目的を達成するために請求項１に記載の本発明の福祉電話の親機は、生れつき、または疾病・外傷により身体に障害を有する複数の人々が共同で使用できる場所に設置される親機と、前記親機とインターネットで接続される子機とを有する福祉電話の親機であって、
人を検知して親機を作動させる作動開始手段と、
文字や画像及び音声の両方で操作の案内をする操作案内手段と、
親機側利用者情報記憶手段と
接触、音声、若しくは映像によって親機側利用者情報を入力し、前記入力情報に親機側識別番号を付加して、前記入力情報と共に親機側識別番号を前記親機側利用者情報記憶手段に記憶させて登録する親機側利用者情報登録手段と、
接続先情報記憶手段と、
接触、音声、若しくは映像によって親機側利用者別に前記親機側利用者情報と関連付けて記憶されるべき接続先利用者情報を入力し、前記入力情報に接続先識別番号を付加して、前記入力情報と共に接続先識別番号を前記接続先情報記憶手段に記憶させて登録する接続先情報登録手段と、
接触、音声、若しくは映像によって入力された情報及び前記親機側利用者情報に基づいて親機側利用者を認識する親機側利用者認識手段と、
接触、若しくは音声によって入力された情報及び前記接続先情報に基づいて接続先を選択する接続先選択手段と、
文字や画像及び音声の両方で着信を通知する着信通知手段と、
接触、若しくは、音声による受付情報を入力するための着信受付手段と、
前記接続先選択手段によって選択された接続先に電話をかけることにより、若しくは、着信受付手段からの受付情報に基づいて、子機との通信を可能にし、画像及び音声を子機との間で送受信する通信手段とを備えた親機である。
【０００６】
請求項２に記載の本発明の福祉電話の親機は、請求項１に記載の特徴に加えて、前記親機側利用者認識手段が、次の特定要素の内一つを用いて選択をすることにより、若しくは、次の特定要素の内二つ以上を用いて選択をくり返す事により数多くの登録親機側利用者から個人を絞りこむ特定要素検索手段を有している。
性別、干支、生まれた月、出身地、血液型、部屋番号、親機側利用者の顔写真、氏名
請求項３に記載の本発明の福祉電話の親機は、請求項１に記載の特徴に加えて、更に、昇降手段を有している。
【０００７】
請求項４に記載の本発明の福祉電話の子機は、生れつき、または疾病・外傷により身体に障害を有する複数の人々が共同で使用できる場所に設置される親機と、前記親機とインターネットで接続される子機とを有する福祉電話の子機であって、
インターネット接続開始時においてその時にプロバイダーから割振られたＩＰを親機に知らせる通信手段を有している。
【０００８】
請求項５に記載の本発明の福祉電話は、前記請求項１に記載の親機と請求項４に記載の子機を備えた福祉電話である。
【０００９】
【発明の実施の形態】
以下本発明の実施形態例を図面に基づいて説明する。
本実施形態例における福祉電話は、障害者や高齢者向けのインターネットを利用した電話である。生れつき、または疾病・外傷により身体に障害を有する人々が共同で生活する施設、例えば、障害者や高齢者等の介護の必要な人々が共同で生活している施設内で、施設内の人々が、家族や特定の友人等に対して意思疎通をはかりたい時に福祉電話を共同で使用する。
本実施形態例における福祉電話は、図１  に示すように親機１と子機２により構成される。子機２は一般家庭に置かれる。親機１は施設に設置し、障害者や高齢者が利用しやすいように工夫を施した専用機器である。親機１と子機２はインターネットを介して通信可能に接続されている。
【００１０】
親機は、図２  に示すように、タッチパネル３（接触による文字や画像等、或いは人検知情報の入力器及び文字や画像等の表示機器）、マイク４（音声入力器）、スピーカー５（音声出力器）、指紋センサー６（指紋入力器）、ＣＣＤ  カメラ７（画像入力器）、内臓された音声収録再生器、内臓された画像収録再生器、内臓された通信手機、内臓されたメモリー（記憶手段）、内臓されたコンピュータ、福祉電話プログラム等を備えている。必要に応じて光や熱等により人を検知するためのセンサ（人検知情報入力器）備えている。そして、各機器等は、情報信号のやりとりが可能なようにコンピュータに接続されている。福祉電話プログラムは、前記各機器等を制御するために前記コンピュータに搭載されている。
【００１１】
親機１は、車いす使用者にも親機１が利用できるように、昇降手段を有している。
昇降手段の例として、昇降用スイッチ８ａを備えた昇降自在なテーブル８が挙げられる。前記昇降自在なテーブル８上に親機１を設置して固定すると、昇降手段を有する親機１となる。テーブル８の載置面は車いす使用者が親機１に容易に近づけて操作が可能なように、福祉電話のタッチパネル３の前方がＵ字形に窪んでいることが好ましい。
【００１２】
福祉電話プログラムは前記コンピュータ及びそれに接続された各機器を次のような福祉電話の親機の各手段として機能させるために後述する手順を含む。
【００１３】
人を検知して親機を作動させる作動開始手段と  文字や画像及び音声の両方で操作の案内をする操作案内手段と、親機側利用者情報記憶手段と、接触、音声、若しくは映像によって親機側利用者情報を入力し、前記入力情報に親機側識別番号を付加して、前記入力情報と共に親機側識別番号を前記親機側利用者情報記憶手段に記憶させて登録する親機側利用者情報登録手段と、接続先情報記憶手段と、接触、音声、若しくは映像によって親機側利用者別に前記親機側利用者情報と関連付けて記憶されるべき接続先利用者情報を入力し、前記入力情報に接続先識別番号を付加して、前記入力情報と共に接続先識別番号を前記接続先情報記憶手段に記憶させて登録する接続先情報登録手段と、接触、音声、若しくは映像によって入力された情報及び前記親機側利用者情報に基づいて親機側利用者を認識する親機側利用者認識手段と、接触、若しくは音声によって入力された情報及び前記接続先情報に基づいて接続先を選択する接続先選択手段と、文字や画像及び音声の両方で着信を通知する着信通知手段と、接触、若しくは、音声による受付情報を入力するための着信受付手段と、前記接続先選択手段によって選択された接続先に電話をかけることにより、若しくは、着信受付手段からの受付情報に基づいて、子機との通信を可能にし、画像及び音声を子機との間で送受信する通信手段。
【００１４】
前記親機側利用者認識手段は、次の特定要素の内一つを用いて選択をすることにより、若しくは、次の特定要素の内二つ以上を用いて選択をくり返す事により数多くの登録親機側利用者から個人を絞りこむ特定要素検索手段を有している。性別、干支、生まれた月、出身地、血液型、部屋番号、親機側利用者の顔写真、氏名
【００１５】
子機２は一般家庭に置く事を想定しているので、市販のパーソナルコンピュータ（以下、パソコン）を利用する。ノート型がコンパクトであることから望ましい。前記市販のパソコンにＣＣＤ  カメラ、マイク、スピーカー等の機器を接続する。本発明に係わる福祉電話プログラムは前記市販のパソコンに搭載される。
尚、図２に示した親機２を他の親機の子機として使用することも可能である。
【００１６】
福祉電話プログラムは前記コンピュータ及びそれに接続された各機器を以下のような福祉電話の子機の各手段として機能させる。
操作案内手段、利用者登録手段、着信通知手段、着信受付手段、通信手段。
前記通信手段は、インターネット接続開始時においてその時にプロバイダーから割振られたＩＰを親機に知らせる。
【００１７】
一般的にはインターネット上で端末どうしが任意に通信する場合あらかじめユニークなＩｎｔｅｒｎｅｔ  Ｐｒｏｔｏｃｏｌ  （以下、ＩＰ）アドレスを取得または知っておかなかればならない。親機１は、施設に設置され複数の利用者が共同で使用するので、プロバイダから固定ＩＰを取得しても費用としてあまり負担がかからない。しかし、子機２は家庭側に設置されるので、固定ＩＰでは通信経費の負担が重くなる。そこで、子機２は、例えば、現在一般的な接続形態の一つであるＡＤＳＬ回線を利用した通信形態に加しておき  そして、子機２がインターネット接続開始時においてその時にプロバイダーから割振られたＩＰを本発明に係わる通信手段によって親機に知らせるようにした。これにより、家庭での通信経費の負担を軽減している。子機２が電気を切らないかぎり通信経路は確立できる。また電気を切っている時は不在扱いとなる。
【００１８】
次に、福祉電話の各手段の作動手順を図に基づいて説明する。
以下、親機と子機等の接続先間での情報の送受信は双方に設けられた通信手段を介して行われる。また、福祉電話の親機が作動している間、親機の操作案内手段は、タッチパネル画面上の文字等の表示及びスピーカーからの音声の両方で操作の案内を常に行う。
【００１９】
先ず、親機について図３乃至図１０に基づいて説明する。
［登録］
福祉電話を使用するにあたり、まず、最初に親機の利用者及び前記親機側利用者に関連した接続先を登録する。接続先としては、子機のみならず、異なった施設に設置された親機同士であってもよい。このように予め福祉電話を利用できるメンバーを登録しておくと、不特定からかかってくることを防ぐ事ができる。施設内で共同で使用する親機の利用者の人数は１００人前後で、各親機側利用者に関連した接続先は４人程度として説明する。親機の利用者の人数及び前記各親機側利用者に関連した接続先の人数は任意である。
【００２０】
（作動開始手順）
先ず、親機側利用者は車椅子等により利用者の手が親機に届く範囲に接近する。タッチパネルの画面のいずれかの部分が前記親機側利用者によって触れられる。若しくは、光や熱センサ等のセンサが前記親機側利用者を感知する。
親機は、前記タッチパネルからの入力信号、若しくは、光や熱センサ等のセンサからの入力信号により人の存在を検知し、待機画面から親機側利用者開始画面へとタッチパネルの画面を切り替え、作動しはじめる（図３のＳ３１）。
【００２１】
（操作案内手順）
同時に、親機は、内蔵スピーカーを通じて音声によって利用出来ることを知らせる。
そして、親機は、開始、終了、登録のいずれかを選択することを案内する（図３のＳ３２）。
親機側利用者からの「登録を選択する入力信号」がマイク若しくはタッチパネルから親機に入力されると、親機はタッチパネルとスピーカーによって、親機側利用者に親機側利用者情報及び前記親機側利用者情報と関連付けて記憶されるべき接続先利用者情報を入力することを案内する（図４のＳ４１）。
【００２２】
（利用者登録手順）
タッチパネルからの接触（タッチ）信号、マイクからの音声信号、指紋センサーからの映像信号、ＣＣＤカメラからの映像信号等を利用して予め親機を利用する者の情報及び親機側利用者別に前記親機側利用者情報と関連付けて記憶されるべき接続先利用者情報が親機に入力される。親機は、前記入力情報に識別（Ｉｄｅｎｔｉｆｉｃａｔｉｏｎ：以下、ＩＤという）番号を付加して、前記入力情報と共にＩＤ番号をメモリーに記憶させて登録する（図４のＳ４２）。
【００２３】
親機側利用者情報として記憶させる情報の例として、次のようなものが挙げられる。  氏名、声紋及び指紋、顔写真などの利用者画像ファイル、着信音ファイル名（パス情報）、特定要素情報等の入力情報、及び、前記入力情報に付加される利用者ＩＤ番号。
前記特定要素情報とは、後述する特定要素検索に使用する情報である。
そして、前記親機側利用者情報に関連して記憶されるべき接続先利用者情報の例として、次のようなものが挙げられる。
接続先利用者氏名、顔写真などの接続先画像ファイル、及び、前記入力情報に付加される接続先ＩＤ番号。
【００２４】
［親機から子機等の接続先にかける場合］
（作動開始手順）
先ず、親機側利用者は車椅子等により利用者の手が親機に届く範囲に接近する。タッチパネルの画面のいずれかの部分が前記親機側利用者によって触れられる。若しくは、光や熱センサ等のセンサが前記親機側利用者を感知する。
親機は、前記タッチパネルからの入力信号、若しくは、光や熱センサ等のセンサからの入力信号により人の存在を検知し、待機画面から親機側利用者開始画面へとタッチパネルの画面を切り替え、作動しはじめる（図３のＳ３１）。
【００２５】
（操作案内手順）
同時に、親機は、内蔵スピーカーを通じて音声によって利用出来ることを知らせる。
そして、親機は、開始、終了、登録のいずれかを選択することを案内する（図３のＳ３２）。
親機側利用者からの「開始を選択する入力信号」がマイク若しくはタッチパネルから親機に入力されると、親機は、親機側利用者に名前等親機側利用者を特定するための情報の入力を案内する。
【００２６】
（利用者認識手順）
タッチパネル（人との接触）から入力する場合、親機側利用者はタッチパネル上に表示された５０音文字ボタンをタッチすることによって若しくタッチパネル上の親機側利用者リストから選択することによって親機側利用者名を入力する。親機は、入力された氏名等の情報を記憶された氏名等の情報と比較することによって特定親機側利用者を認識する。
【００２７】
（声紋認識手順）
音声入力の場合、親機側利用者は自分の名前等の個人を特定する情報をマイクを通じて親機に入力する。親機は、入力された氏名等の音声の声紋情報を記憶された氏名等の声紋情報と比較することによって特定親機側利用者の声紋を認識し、親機側利用者を特定する。
【００２８】
（指紋認識手順）
但し、なんらかの障害により明瞭な発声が出来ない等の親機側利用者が認識できない場合、親機は利用者に指紋情報の入力を案内する（図５のＳ５１）。親機側利用者は内蔵している指紋センサーに触れる事により指紋（映像）を入力する。親機は、入力された指紋情報を記憶された指紋情報と比較することによって特定親機側利用者の指紋を認識し、親機側利用者を特定する（図５のＳ５２）。
【００２９】
（更なる利用者認識手順：特定要素検索手順）
もし、上記のいずれの手段によっても親機側利用者が特定出来なかった場合、親機は、「特定要素検索手順」を開始する（図５のＳ５３  ）。「特定要素検索手順」とは、例えば、個人名等を選択する場合、ある関連をもった要素を明示し、その選択をくり返す事により数多くの登録親機側利用者から個人を特定する検索手順である。
特定要素とは、高齢者であっても比較的良く覚えており質問に簡単に答えられる情報を指し、例えば、自分の性別、干支、生まれた月、出身地、血液型、部屋番号、親機側利用者の顔写真、氏名等があげられる。どれを要素に使用するかは親機設置環境にあわせて選定する。本実施形態においては、「干支」、「生まれた月」「親機側利用者の顔写真」を特定要素とする。
【００３０】
「特定要素検索手順」を開始した親機（図６のＳ６１）は、複数の「干支」の画像の組を順次タッチパネルに比較的大きく表示（図６のＳ６２）すると共に、スピーカーから複数の干支を順番にアナウンス（図６のＳ６３）して親機側利用者に干支の選択を案内をする。親機側利用者によるタッチパネル若しくはマイクから干支の選択の入力があると、親機は予め記憶された親機側利用者情報に基づいて入力された干支を有する親機側利用者を検索して絞り込む（図６のＳ６４）。
【００３１】
それと、同時に、親機は、複数の「生まれ月」の文字をタッチパネルに比較的大きく表示する（図６のＳ６５）と共に、スピーカーから生まれ月を順番にアナウンス（図６のＳ６６）する。これにより、親機は、親機側利用者に生まれた月の選択を案内をする。親機側利用者によるタッチパネル若しくはマイクから生まれた月の選択の入力があると、親機は予め記憶された親機側利用者情報に基づいて入力された生まれた月を有する親機側利用者を検索して絞り込む（図６のＳ６７）。
【００３２】
そして、親機は、前記絞りこまれた親機側利用者の顔写真の画像及び氏名の複数の組を比較的大きくタッチパネルに順次表示（図７のＳ７１）すると共に、スピーカーから前記絞りこまれた親機側利用者の氏名を順番にアナウンス（図７のＳ７２）する。これにより、親機は、親機側利用者に利用者自身を選択するための案内をする。
親機側利用者によるタッチパネル若しくはマイクから利用者自身を選択する入力があると、親機は予め記憶された親機側利用者情報から親機側利用者を特定する。そして、前記親機側利用者に関連する接続先、即ち、電話をかけたい相手を選択するための手順に入る（図７のＳ７３）。
【００３３】
（接続先選択手順）
親機は接続先選択手順に入ると、前記特定された親機側利用者に関連する接続先の顔写真の画像若しくはイラスト及び氏名の複数の組を比較的大きくタッチパネルに順次表示すると共に、スピーカーから前記複数の接続先の氏名を順番にアナウンスする。これにより、親機は、前記特定された親機側利用者に関連する接続先を選択するための案内をする（図８のＳ８１）。
親機側利用者によるタッチパネル（接触）若しくはマイクから接続先を選択する入力があると、親機は予め記憶された接続先情報から特定の接続先を選択する（図８のＳ８２）。
【００３４】
（通信手順）
そして、親機は、前記特定された親機側利用者に関連する接続先情報に基づいて前記選択された接続先に電話をかける（図９のＳ９１）。
前記選択された接続先が反応し通信可能状態になれば、親機は接続先から送信されてくる画像及び音声を受信し、画像をタッチパネルに表示（図９のＳ９２）し、スピーカーによって音声を流し、映像と音声によって通信が可能な状態となる。
【００３５】
このような本実施形態に係わる親機の付加機能により、タッチパネル画面の文字等の案内及び、スピーカと音声再生機の音声案内に従い、親機側利用者は画面に軽く触れるだけ若しくは音声で応えるだけで登録接続先に回線がつながる。いわゆるＴＶ電話機能を利用する事ができる。また身体の状況によっては全く機器に触れずに音声だけで上記の機能を利用する事もできる。
【００３６】
［親機にかかって来た場合］
（通信手順）
他の施設に設置されている他の親機、若しくは、子機から親機へかかって来た場合、即ち、接続要求があった場合、親機は次のような情報を子機等の接続要求側から受信する。接続要求側のＩＰアドレス、接続要求側のＩＤ番号、呼び出したい親機側利用者ＩＤ等。
【００３７】
（着信通知手順）
親機は前記子機等の接続要求側からの情報を受信すると（図９のＳ９３）、前記受信情報に基づいて、予め記憶された前記接続先利用者情報から子機等の接続要求側の氏名および顔写真若しくはイラスト等の画像を抽出し、予め記憶された前記親機側利用者情報から、前記抽出された接続先利用者と関連付けされた呼び出したい親機側利用者の氏名および顔写真若しくはイラスト等の画像と着信音を抽出する。
そして、親機は、前記接続要求側及び呼び出したい親機側利用者両方に関する前記抽出された氏名や顔写真若しくはイラスト等の画像、及び、受付ボタンを比較的大きくタッチパネルに表示する（図９のＳ９４）と共に、呼び出したい親機側利用者の氏名及び着信音をスピーカーから流す（図９のＳ９５）。
【００３８】
（着信受付手順）
前記着信音が鳴っている間に親機の近くにいる人が、タッチパネル上で点滅表示している文字若しくは画像の受付ボタンをタッチ（接触）するかマイクに音声によって受付情報を入力する（図９のＳ９６）。
（通信手順）
親機は前記着信受付情報に基づいて、子機との通信を可能にし、画像及び音声を子機との間で送受信する（通常の電話で受話器を取る動作にあたる：図９のＳ９２）。
また、前記着信通知を行っている間、親機は、前記接続要求側のＩＰアドレス等の子機等の接続要求側から送信されてきた情報の更新を行う（図１０）。
【００３９】
次に、子機の各手段の作動手順を図１１乃至図１４に基づいて説明する。
以下、福祉電話の子機が作動している間、子機の操作案内手段は、表示画面上の写真、またはイラスト、文字等の表示によって操作の案内を行う。設定によって、スピーカーによる音声操作案内も行う。
【００４０】
［登録］
（操作案内手順）
子機として使用されるパソコンに搭載された福祉電話ソフトを立ち上げる（図１１のＳ１１１）。子機は、「電話する」若しくは「登録設定」を選択する案内を行う。若しくは、子機情報の有無を判断する（図１１のＳ１１２）。
子機側利用者からの「登録設定を選択する入力信号」がマウスやキーボード、必要に応じてマイク等から子機に入力される、若しくは子機情報の無と判断すると、子機は表示画面、必要に応じてスピーカーによって、子機側利用者に子機側利用者情報及び前記子機側利用者情報と関連付けて記憶されるべき親機側利用者情報を入力することを案内する（図１２のＳ１２１）。
【００４１】
（利用者登録手順）
マウス、キーボード、ＣＣＤカメラ、必要に応じてマイク等から予め子機を利用する者の情報及び子機側利用者別に前記子機側利用者情報と関連付けて記憶されるべき親機側利用者情報が子機に入力される（図１２のＳ１２２）。子機は、前記入力情報をメモリーに記憶させて登録する（図１２のＳ１２３）。
【００４２】
子機側利用者情報として記憶させる情報の例として、次のようなものが挙げられる。氏名、顔写真などの利用者画像ファイル、着信音ファイル名（パス情報）、及び、親機において付与された前記親機側利用者情報と関連付けられた子機側利用者ＩＤ番号。
そして、前記子機側利用者情報に関連して記憶されるべき親機側利用者情報の例として、次のようなものが挙げられる。
親機側利用者氏名、顔写真などの親機側利用者画像ファイル、及び、親機において付与された親機側利用者ＩＤ番号。
【００４３】
［子機から親機にかける場合］
（操作案内手順）
子機として使用されるパソコンに搭載された福祉電話ソフトを立ち上げる（図１１のＳ１１１）。
子機は、「電話する」若しくは「登録設定」を選択する案内を行う。若しくは、子機情報の有無を判断する（図１１のＳ１１２）。
【００４４】
（通信手順）
キーボードやマウスによって「電話する」の入力信号があると、若しくは、子機情報の有と判断すると、子機はインターネットに接続する。そして、子機は、接続開始時においてその時にプロバイダーから割振られたＩＰアドレスと共に、次のような情報を親機に送信する（図１１のＳ１１３）。
親機への接続要求、子機側のＩＰアドレス、子機側のＩＤ番号、呼び出したい親機側利用者ＩＤ番号等。
子機は、接続待機状態に入り、呼び出し音がきこえる。親機が反応し接続可能状態になれば、子機は親機から送信されてくる画像及び音声を受信し、画像を表示画面に表示し、スピーカーによって音声を流し、映像と音声によって通信が可能な状態となる（図１１のＳ１１４、Ｓ１１５、図１３、図１４）。
【００４５】
［親機から子機にかかって来た場合］
（通信手順）
子機として使用されるパソコンに搭載された福祉電話ソフトを立ち上げ、子機は通信可能な状態で待機しておく。
親機から子機へかかって来た場合、即ち、接続要求があった場合（図１１のＳ１１６）、子機は親機からの接続要求と共に、親機側利用者ＩＤ番号及び呼び出したい子機側利用者ＩＤを受信する。
【００４６】
（着信通知手順）
子機は前記親機からの情報を受信すると、前記受信情報に基づいて、予め記憶された前記親機側利用者情報から親機の氏名、顔写真若しくはイラスト等の画像等を抽出し、予め記憶された前記子機側利用者情報から、前記抽出された親機側利用者と関連付けされた呼び出したい子機側利用者の氏名、顔写真若しくはイラスト等の画像、着信音等を抽出する。
そして、子機は、前記親機側利用者及び呼び出したい子機側利用者両方に関する前記抽出された氏名や顔写真若しくはイラスト等の画像、及び、受付ボタンを比較的大きく表示画面に表示すると共に、前記親機側利用者の氏名及び呼び出したい子機側利用者の着信音をスピーカーから流す（図１３のＳ１３１，Ｓ１３２）。
【００４７】
（着信受付手順）
前記着信音が鳴っている間に子機の近くにいる人が、表示画面上で点滅している受付ボタンをマウスでクリックするかマイクに音声によって受付情報を入力する（図１３のＳ１３３）。
（通信手順）
子機は前記着信受付情報に基づいて、親機との通信を可能にし、画像及び音声を親機との間で送受信する（通常の電話で受話器を取る動作にあたる）（図１３のＳ１３４）。
【００４８】
次に、他の親機の実施形態例を図１５乃至図１８に示す。図中、符号１０は親機、１１はＣＣＤ  カメラ、１２は高指向性マイク、１３はタッチパネル、１４は指向性スピーカー、１５は防音壁、１６は昇降テーブルの載置台、１７は支柱、１８は電動昇降ジャッキ、１９は電動昇降ジャッキカバー、２０は移動ホイール、２１は下枠、２２は固定座、２３は上枠、２４はシリンンダーブラケット、２５はパワーシリンダーを示している。
図１５（ａ）  は上面図、図１５（ｂ）  は正面図、図１６は側面図、図１７は、昇降テーブルの載置台１６を支える上下枠２３，２１  及び支柱１７、及び、電動昇降ジャッキ１８を側面からみた図である。図１７において、電動昇降ジャッキカバー１９ははずされ、側面から見て見える支柱１７は省略されている。図１８（ａ）  は図１７のＡ−Ａ  線図、図１８（ｂ）  は図１７のＢ  矢視図である。
【００４９】
昇降テーブルの載置台１６は車いす使用者が親機１０に容易に近づけて操作が可能なように、福祉電話のタッチパネル１３の前方がＵ字形に浅く窪んでいる。支柱１７は、パイプ１７ａ  と、前記パイプ１７ａ  内を上下同可能に挿入された軸１７ｂ  とを有し、支柱１７は、上下に伸縮縮自在である。上枠２３の上面に昇降テーブルの載置台１６が固定される。親機１０は、前記昇降テーブルの載置台１６に設置され、前記電動昇降ジャッキ１８によって昇降自在となる。前記電動昇降ジャッキ１８はパワーシリンダー２５及び、昇降すると、その昇降位置を自動固定するセイブロック機能を有する。移動ホイール２０によって親機１０は移動可能となる。
【００５０】
尚、本発明のいずれの親機も、福祉電話として機能するだけではなく、通常のインターネット電話として機能することが好ましい。そのためには、福祉電話手段と、通常のインターネット電話手段、及び、前記手段の切換を行う切換手段を備えていることが好ましい。前記切換手段は、前記福祉電話手段とインターネット電話手段との切換をパスワードの入力によって行う。パスワードを入力すると、福祉電話画面から、通常のインターネット電話画面へとタッチパネルの画面が切り換わり、通常のインターネット電話として使用することができる。
【００５１】
また、親機若しくは子機の少なくとも一方に、ＣＣＤ  カメラによって得た手話のための手の動き情報を音声や文字へ変換する手段を備えていることが好ましい。更に、親機若しくは子機の少なくとも一方に、音声や文字情報を手話のための手の動き情報に変換する手段を有していることが好ましい。これによって、親機側手話で話をする人と、文字や音声によって話をする人との間で対話が可能となる。
【００５２】
【発明の効果】
このような本発明の福祉電話に係わる親機の付加機能により、タッチパネル画面の文字等の案内及び、スピーカと音声再生機の音声案内に従い、親機側利用者は画面に軽く触れるだけ若しくは音声で応えるだけで登録接続先に回線がつながる。いわゆるＴＶ電話機能を利用する事ができる。また身体の状況によっては全く機器に触れずに音声だけで上記の機能を利用する事もできる。
【００５３】
また、このような本発明の福祉電話に係わる子機は、例えば、現在一般的な接続形態の一つであるＡＤＳＬ回線を利用した通信形態に加しておき  そして、子機がインターネット接続開始時においてその時にプロバイダーから割振られたＩＰを本発明に係わる通信手段によって親機に知らせるようにしているので、家庭での通信経費の負担を軽減している。子機が電気を切らないかぎり通信経路は確立できる。また電気を切っている時は不在扱いとなる。
【図面の簡単な説明】
【図１】本発明の実施形態例における福祉電話の構成を示す図
【図２】本発明の実施形態例における福祉電話の親機の構成を示す図
【図３】本発明の実施形態例における福祉電話の親機の作動手順を示すフローチャート
【図４】本発明の実施形態例における福祉電話の親機の作動手順を示すフローチャート
【図５】本発明の実施形態例における福祉電話の親機の作動手順を示すフローチャート
【図６】本発明の実施形態例における福祉電話の親機の作動手順を示すフローチャート
【図７】本発明の実施形態例における福祉電話の親機の作動手順を示すフローチャート
【図８】本発明の実施形態例における福祉電話の親機の作動手順を示すフローチャート
【図９】本発明の実施形態例における福祉電話の親機の作動手順を示すフローチャート
【図１０】本発明の実施形態例における福祉電話の親機の作動手順を示すフローチャート
【図１１】本発明の実施形態例における福祉電話の子機の作動手順を示すフローチャート
【図１２】本発明の実施形態例における福祉電話の子機の作動手順を示すフローチャート
【図１３】本発明の実施形態例における福祉電話の子機の作動手順を示すフローチャート
【図１４】本発明の実施形態例における福祉電話の子機の作動手順を示すフローチャート
【図１５】本発明の他の実施形態例における福祉電話の親機を示す図であり、（ａ）  は上面図、（ｂ）  は正面図
【図１６】図１５の実施形態例における福祉電話の親機の側面図
【図１７】図１５の昇降テーブルの載置台１６を支える上下枠２３，２１  及び支柱１７、及び、電動昇降ジャッキ１８を側面からみた図
【図１８】図１８（ａ）  は図１７のＡ−Ａ  線図、図１８（ｂ）  は図１７のＢ  矢視図
【符号の説明】
１  親機
３  タッチパネル
４  マイク
５  スピーカー
６  指紋センサー
７  ＣＣＤ  カメラ
８ａ  昇降用スイッチ
８  テーブル
【図１】
2004208243.tif 000003
【図２】
2004208243.tif 000004
【図３】
2004208243.tif 000005
【図４】
2004208243.tif 000006
【図５】
2004208243.tif 000007
【図６】
2004208243.tif 000008
【図７】
2004208243.tif 000009
【図８】
2004208243.tif 000010
【図９】
2004208243.tif 000011
【図１０】
2004208243.tif 000012
【図１１】
2004208243.tif 000013
【図１２】
2004208243.tif 000014
【図１３】
2004208243.tif 000015
【図１４】
2004208243.tif 000016
【図１５】
2004208243.tif 000017
【図１６】
2004208243.tif 000018
【図１７】
2004208243.tif 000019
【図１８】
2004208243.tif 000020